(57)【要約】      （修正有）【課題】ＩＥＥＥ１３９４対応入力機器から取り込んだ画像の配信及び中継を行い、これによって細かい文字等をはっきりと表示して配信又は中継先で読みやすくする中継装置を提供する。【解決手段】画像を撮影するＩＥＥＥ１３９４対応入力機器と、前記ＩＥＥＥ１３９４対応入力機器から記憶装置に画像データを取り込むキャプチャ機能、前記記憶装置からデスクトップ上に表示した画像データを送受信するデスクトップ配信機能、及び前記送受信の通信手段としてピアツーピア方式でセッションを確立するテレビ電話機能を備えたコンピュータと、前記コンピュータの画像データを可視化表示するモニタとからなり、リアルタイムに鮮明な画像を配信又は中継することを特徴とする。【選択図】図１
0003155377.tif 000002
【実用新案登録請求の範囲】
【請求項１】
画像を撮影するＩＥＥＥ１３９４対応入力機器と、
前記ＩＥＥＥ１３９４対応入力機器から記憶装置に画像データを取り込むキャプチャ機能、前記記憶装置からデスクトップ上に表示した画像データを送受信するデスクトップ配信機能、及び前記送受信の通信手段としてピアツーピア方式でセッションを確立するテレビ電話機能を備えたコンピュータと、
前記コンピュータの画像データを可視化表示するモニタとからなり、
リアルタイムに鮮明な画像を配信又は中継することを特徴とするライブ画像の配信・中継装置。
【請求項２】
コンピュータがテレビ電話機能及びデスクトップ配信機能の代わりにデスクトップ配信機能内蔵テレビ電話機能を備えることを特徴とする請求項１に記載のライブ画像の配信・中継装置。
【請求項３】
コンピュータがＵＳＢ用キャプチャ機能を備え、ＵＳＢ対応入力機器７ａから画像を取り込むことを特徴とする請求項１又は２に記載のライブ画像の配信・中継装置。
【考案の詳細な説明】
【技術分野】
【０００１】
本考案は、インターネットを使ってカメラから取り込んだ画像を配信し、さらにその画像を中継する装置に関するものである。
【背景技術】
【０００２】
通信技術の発達により、遠くにいる者同士がインターネットを利用して一堂に会しているかの如くリアルタイムに音声や画像をやり取りするテレビ会議システムというものが実現されている。
【０００３】
特許文献１に記載されているように、ＣＣＤ（電荷結合素子）部をもつカメラとパソコンのインタフェースにＵＳＢ（ユニバーサルシリアルバス）を使用し動画像データを取り込むシステムについての発明も公開されている。
【考案の概要】
【考案が解決しようとする課題】
【０００４】
しかしながら、コンピュータのデスクトップ上に表示された画像を配信又は中継する際に、ＵＳＢ対応入力機器から取り込んだ画像では、細かい文字などははっきりと表示されず非常に読みづらい。
【０００５】
そこで、ＵＳＢ対応入力機器から取り込んだ画像の配信及び中継ではなく、ＩＥＥＥ（アイトリプルイー）１３９４対応入力機器から取り込んだ画像の配信及び中継を行い、これによって細かい文字等をはっきりと表示して配信又は中継先で読みやすくすることを目的とする。
【課題を解決するための手段】
【０００６】
上記の課題を解決するために、本考案は、画像を撮影するＩＥＥＥ１３９４対応入力機器と、前記ＩＥＥＥ１３９４対応入力機器から記憶装置に画像データを取り込むキャプチャ機能、前記記憶装置からデスクトップ上に表示した画像データを送受信するデスクトップ配信機能、及び前記送受信の通信手段としてピアツーピア方式でセッションを確立するテレビ電話機能を備えたコンピュータと、前記コンピュータの画像データを可視化表示するモニタとからなり、リアルタイムに鮮明な画像を配信又は中継することを特徴とするライブ画像の配信・中継装置の構成とした。
【考案の効果】
【０００７】
本考案は、ＩＥＥＥ１３９４対応入力機器を使用することにより、小さい文字も鮮明に配信することができ、さらに、中継後の画像も鮮明である。
【図面の簡単な説明】
【０００８】
【図１】本考案であるライブ画像の配信・中継装置の全体の構成を示す図である。
【図２】本考案であるライブ画像の配信・中継装置のコンピュータの構成を示す図である。
【図３】本考案であるライブ画像の配信・中継装置のデスクトップ配信ソフト型の例を示す図である。
【図４】本考案であるライブ画像の配信・中継装置のデスクトップ配信ソフト型の例でＵＳＢ対応入力機器を併用した場合を示す図である。
【図５】本考案であるライブ画像の配信・中継装置のデスクトップ配信ソフト内蔵テレビ電話ソフト型の例を示す図である。
【図６】本考案であるライブ画像の配信・中継装置のデスクトップ配信ソフト内蔵テレビ電話ソフト型の例でＵＳＢ対応入力機器を併用した場合を示す図である。
【考案を実施するための形態】
【０００９】
本考案の実施例１に係るライブ画像の配信・中継装置は、画像を撮影するＩＥＥＥ１３９４対応入力機器又はＵＳＢ対応入力機器と、前記ＩＥＥＥ１３９４対応入力機器又はＵＳＢ対応入力機器から記憶装置に画像データを取り込むキャプチャ機能、前記記憶装置からデスクトップ上に表示した画像データを送受信するデスクトップ配信機能、及び前記送受信の通信手段としてピアツーピア方式でセッションを確立するテレビ電話機能を備えたコンピュータと、前記コンピュータの画像データを可視化表示するモニタとからなり、リアルタイムに鮮明な画像を配信又は中継することを特徴とする。
【００１０】
本考案の実施例２に係るライブ画像の配信・中継装置は、画像を撮影するＩＥＥＥ１３９４対応入力機器又はＵＳＢ対応入力機器と、前記ＩＥＥＥ１３９４対応入力機器又はＵＳＢ対応入力機器から記憶装置に画像データを取り込むキャプチャ機能、前記記憶装置からデスクトップ上に表示した画像データを送受信する際に通信手段としてピアツーピア方式でセッションを確立するデスクトップ配信機能内蔵テレビ電話機能を備えたコンピュータと、前記コンピュータの画像データを可視化表示するモニタとからなり、リアルタイムに鮮明な画像を配信又は中継することを特徴とする。
【実施例１】
【００１１】
図１は、本考案であるライブ画像の配信・中継装置の全体の構成を示す図である。
【００１２】
ライブ画像の配信・中継装置１は、複数のコンピュータ２、３、４、５をインターネット６等のコンピュータネットワークで繋いだもので、各コンピュータがＩＥＥＥ１３９４対応入力機器７等で撮影した画像を他のコンピュータのモニタ８にリアルタイムで表示することにより、コンピュータ間で画像を共有することができる。
【００１３】
ＩＥＥＥ１３９４は、高速シリアルバス規格であり、ファイヤーワイヤー、アイリンク、ＤＶ（デジタルビデオ）端子とも呼ばれ、ＩＥＥＥ１３９４対応入力機器７としては、画像を撮影するＤＶカメラなどがある。
【００１４】
例えば、配信元をコンピュータ２、配信先をコンピュータ３及びコンピュータ４とした場合、コンピュータ２に接続したＤＶカメラで撮影した画像をコンピュータ３のモニタ８及びコンピュータ４のモニタ８に表示することができる。
【００１５】
また、中継元をコンピュータ３、中継先をコンピュータ５とした場合、コンピュータ３に配信された画像をコンピュータ５のモニタ８に表示することができる。尚、１台の配信元又は中継元に対し、複数の配信先又は中継先を持つことができる。
【００１６】
ネットワーク上のどのコンピュータが配信元となるかは任意であり、その他のコンピュータを配信先とすることができる。また、ネットワーク上のどのコンピュータが中継元となるかは任意であり、その他のコンピュータを中継先とすることができる。
【００１７】
尚、画像には、静止画、動画、音声などデータが含まれるものとする。また、アナログデータは、コンピュータに取り込む際にデジタルデータに変換されて、コンピュータ間でデータの送受信が行われる。
【００１８】
図２は、本考案であるライブ画像の配信・中継装置のコンピュータの構成を示す図である。
【００１９】
コンピュータ２は、中央処理装置２ａ、入力装置２ｂ、記憶装置２ｃ、出力装置２ｄ、通信手段２ｅ等からなり、ＰＣ（パーソナルコンピュータ）等がある。尚、コンピュータ３、コンピュータ４、及びコンピュータ５も同様である。
【００２０】
中央処理装置２ａは、入力装置２ｂ、記憶装置２ｃ、出力装置２ｄ、通信手段２ｅ等を管理し動作を制御する。尚、記憶装置２ｃから必要なデータを取り出して処理を実行するための作業領域としてメモリを有する。
【００２１】
入力装置２ｂは、データを取り込んで、記憶装置２ｃに保存するもので、ＩＥＥＥ１３９４対応入力機器７やＵＳＢ対応入力機器７ａ等が該当する。
【００２２】
記憶装置２ｃは、ハードディスクや各種メディア等の補助記憶であり、データベースを構築することもできる。尚、データを取り込むための入力用プログラム９や、データを表示したり転送するための出力用プログラム１０が導入される。
【００２３】
尚、入力用プログラム９としては、ＩＥＥＥ１３９４用キャプチャソフト９ａ、ＵＳＢ用キャプチャソフト９ｂ等があり、出力用プログラム１０としては、テレビ電話ソフト１０ａ、デスクトップ配信ソフト１０ｂ、他系テレビ電話ソフト１０ｃ、他系デスクトップ配信ソフト１０ｄ、デスクトップ配信ソフト内蔵テレビ電話ソフト１０ｅ、他系デスクトップ配信ソフト内蔵テレビ電話ソフト１０ｆ等がある。
【００２４】
出力装置２ｄは、記憶装置２ｃから取り出したデータを可視化して表示するもので、モニタ８等が該当する。
【００２５】
通信手段２ｅは、コンピュータ２の外部とデータ等をやり取りするもので、外部データを取り込んで記憶装置２ｃに保存したり、記憶装置２ｃのデータを外部に送り出したりする。通信方式としては、ピアツーピアプロトコル６ａを用いる。
【００２６】
図３は、本考案であるライブ画像の配信・中継装置のデスクトップ配信ソフト型の例を示す図である。
【００２７】
コンピュータ２を配信元、コンピュータ３を配信先かつ中継元、コンピュータ４を中継先とする。
【００２８】
コンピュータ２、コンピュータ３、及びコンピュータ４には、入力装置２ｂとして、ＤＶカメラ等のＩＥＥＥ１３９４対応入力機器７を接続し、入力用プログラム９として、ＩＥＥＥ１３９４用キャプチャソフト９ａを導入する。
【００２９】
また、出力装置２ｄとしてモニタ８を接続し、出力用プログラム１０として、テレビ電話ソフト１０ａとデスクトップ配信ソフト１０ｂ、又は他系テレビ電話ソフト１０ｃと他系デスクトップ配信ソフト１０ｄを必要に応じて導入する。
【００３０】
尚、コンピュータ２とコンピュータ３の間の配信では、テレビ電話ソフト１０ａとデスクトップ配信ソフト１０ｂを使用し、コンピュータ３とコンピュータ４の間の中継では、他系テレビ電話ソフト１０ｃと他系デスクトップ配信ソフト１０ｄを使用する。
【００３１】
ＩＥＥＥ１３９４用キャプチャソフト９ａは、コンピュータ２のＩＥＥＥ１３９４端子（ＤＶ端子）に接続されたＩＥＥＥ１３９４対応入力機器７から、ＩＥＥＥ１３９４対応入力機器７で撮影した画像を取り込んで、画像データとして記憶装置２ｃに蓄積する機能を有するプログラムである。
【００３２】
テレビ電話ソフト１０ａは、インターネット６等のコンピュータネットワークへの接続から切断までセッションを確立し、ネットワークを介して画像や音声などのデータをリアルタイムに送受信できるように通信を制御する機能を有するプログラムである。
【００３３】
尚、他系テレビ電話ソフト１０ｃは、テレビ電話ソフト１０ａと別セッションで通信が行われるが、機能は同様である。
【００３４】
デスクトップ配信ソフト１０ｂは、コンピュータ２のデスクトップ上の画像を他のコンピュータから受信又は他のコンピュータに送信する機能を有するプログラムである。尚、テレビ電話ソフト１０ａとは独立してセッションを確立する。
【００３５】
コンピュータ２、コンピュータ３、コンピュータ４のいずれもインターネット６等のコンピュータネットワークに接続する環境を整えておく。
【００３６】
コンピュータ２でＩＥＥＥ１３９４用キャプチャソフト９ａを起動し、ＩＥＥＥ１３９４対応入力機器７からコンピュータ２のデスクトップ環境に取り込んだ画像をモニタ８に表示する。
【００３７】
尚、デスクトップとは、ＧＵＩ（グラフィカルユーザインタフェース）を持つＯＳ（オペレーティングシステム）の最下層の画面である。
【００３８】
コンピュータ２でテレビ電話ソフト１０ａを起動し、ピアツーピアプロトコル６ａでネットワークを接続するセッションを開始する。コンピュータ３でもテレビ電話ソフト１０ａを起動し、コンピュータ２が設定したパスワード等で認証の上、当該セッションに入ることでコンピュータ２とコンピュータ３の間でテレビ電話機能を利用することができる。
【００３９】
コンピュータ２とコンピュータ３でそれぞれデスクトップ配信ソフト１０ｂを起動し、コンピュータ３においてコンピュータ２が設定したパスワードを入れる等して配信を要求すると、コンピュータ２のデスクトップ上の画像が、コンピュータ３のデスクトップ上に送信され、コンピュータ３のモニタ８に表示される。
【００４０】
次に、コンピュータ３で他系テレビ電話ソフト１０ｃを起動し、ピアツーピアプロトコル６ａでネットワークを接続する別セッションを開始する。コンピュータ４でも他系テレビ電話ソフト１０ａを起動し、コンピュータ３が設定したパスワード等で認証の上、当該別セッションに入ることでコンピュータ３とコンピュータ４の間でテレビ電話機能を利用することができる。
【００４１】
コンピュータ３とコンピュータ４でそれぞれ他系デスクトップ配信ソフト１０ｄを起動し、コンピュータ４においてコンピュータ３が設定したパスワードを入れる等して配信を要求すると、コンピュータ３のデスクトップ上の画像が、コンピュータ４のデスクトップ上に配信され、コンピュータ４のモニタ８に表示される。
【００４２】
さらに、コンピュータ２のデスクトップ上の画像は、コンピュータ３のデスクトップ上に配信されていることから、コンピュータ４のデスクトップ上にも中継され、コンピュータ４のモニタ８にも表示されることになる。
【００４３】
図４は、本考案であるライブ画像の配信・中継装置のデスクトップ配信ソフト型の例でＵＳＢ対応入力機器を併用した場合を示す図である。
【００４４】
ライブ画像の配信・中継装置１ａの場合は、コンピュータ２等にＵＳＢ用キャプチャソフト９ｂを導入しておき、ＵＳＢ対応入力機器７ａを併用することもできる。ＵＳＢ対応入力機器７ａは、ＩＥＥＥ１３９４対応入力機器７に代えて、又は、ＩＥＥＥ１３９４対応入力機器７と同時に利用することができる。
【００４５】
ＵＳＢは、シリアルバス規格であり、ＵＳＢ対応入力機器７ａとしては、ＰＣカメラやアナログカメラ（アナログ−デジタル変換手段を経由）がある。
【００４６】
ＵＳＢ対応入力機器７ａは、ＩＥＥＥ１３９４対応入力機器７に比べると鮮明さが劣るので、鮮明さが要求されない場合などに、ＩＥＥＥ１３９４対応入力機器７の補助として用いる。
【実施例２】
【００４７】
図５は、本考案であるライブ画像の配信・中継装置のデスクトップ配信ソフト内蔵テレビ電話ソフト型の例を示す図である。
【００４８】
ライブ画像の配信・中継装置１ｂは、出力用プログラム１０として、テレビ電話ソフト１０ａ及びデスクトップ配信ソフト１０ｂの代わりにデスクトップ配信ソフト内蔵テレビ電話ソフト１０ｅを導入し、他系テレビ電話ソフト１０ｃ及び他系デスクトップ配信ソフト１０ｄの代わりに他系デスクトップ配信ソフト内蔵テレビ電話ソフト１０ｆを導入する。
【００４９】
コンピュータ２でＩＥＥＥ１３９４用キャプチャソフト９ａを起動し、ＩＥＥＥ１３９４対応入力機器７からコンピュータ２のデスクトップ環境に取り込んだ画像をモニタ８に表示する。
【００５０】
コンピュータ２でデスクトップ配信ソフト内蔵テレビ電話ソフト１０ｅを起動し、ピアツーピアプロトコル６ａでネットワークを接続するセッションを開始する。コンピュータ３でもデスクトップ配信ソフト内蔵テレビ電話ソフト１０ｅを起動し、コンピュータ２が設定したパスワード等で認証の上、当該セッションに入ることでコンピュータ２とコンピュータ３の間でテレビ電話機能を利用することができる。
【００５１】
この時点で、コンピュータ２のデスクトップ上の画像は、コンピュータ３のデスクトップ上に配信可能な状態にあり、配信を開始すると、コンピュータ３のモニタ８に表示することができる。
【００５２】
次に、コンピュータ３で他系デスクトップ配信ソフト内蔵テレビ電話ソフト１０ｆを起動し、ピアツーピアプロトコル６ａでネットワークを接続する別セッションを開始する。コンピュータ４でも他系デスクトップ配信ソフト内蔵テレビ電話ソフト１０ｆを起動し、コンピュータ３が設定したパスワード等で認証の上、当該別セッションに入ることでコンピュータ３とコンピュータ４の間でテレビ電話機能を利用することができる。
【００５３】
この時点で、コンピュータ３のデスクトップ上の画像は、コンピュータ４のデスクトップ上に配信可能な状態にあり、配信を開始すると、コンピュータ４のモニタ８に表示することができる。
【００５４】
さらに、コンピュータ２のデスクトップ上の画像は、コンピュータ３のデスクトップ上に配信できることから、コンピュータ４のデスクトップ上にも中継することができ、コンピュータ４のモニタ８にも表示することができる。
【００５５】
図６は、本考案であるライブ画像の配信・中継装置のデスクトップ配信ソフト内蔵テレビ電話ソフト型の例でＵＳＢ対応入力機器を併用した場合を示す図である。
【００５６】
ライブ画像の配信・中継装置１ｃの場合は、コンピュータ２等にＵＳＢ用キャプチャソフト９ｂを導入しておき、ＵＳＢ対応入力機器７ａを併用することもできる。ＵＳＢ対応入力機器７ａは、ＩＥＥＥ１３９４対応入力機器７に代えて、又は、ＩＥＥＥ１３９４対応入力機器７と同時に利用することができる。
【符号の説明】
【００５７】
１        ライブ画像の配信・中継装置
１ａ      ライブ画像の配信・中継装置
１ｂ      ライブ画像の配信・中継装置
１ｃ      ライブ画像の配信・中継装置
２        コンピュータ
２ａ      中央処理装置
２ｂ      入力装置
２ｃ      記憶装置
２ｄ      出力装置
２ｅ      通信手段
３        コンピュータ
４        コンピュータ
５        コンピュータ
６        インターネット
６ａ      ピアツーピアプロトコル
７        ＩＥＥＥ１３９４対応入力機器
７ａ      ＵＳＢ対応入力機器
８        モニタ
９        入力用プログラム
９ａ      ＩＥＥＥ１３９４用キャプチャソフト
９ｂ      ＵＳＢ用キャプチャソフト
１０        出力用プログラム
１０ａ      テレビ電話ソフト
１０ｂ      デスクトップ配信ソフト
１０ｃ      他系テレビ電話ソフト
１０ｄ      他系デスクトップ配信ソフト
１０ｅ      デスクトップ配信ソフト内蔵テレビ電話ソフト
１０ｆ      他系デスクトップ配信ソフト内蔵テレビ電話ソフト
【先行技術文献】
【特許文献】
【００５８】
【特許文献１】特開平１０−２３２９２４号公報
【図１】
0003155377.tif 000003
【図２】
0003155377.tif 000004
【図３】
0003155377.tif 000005
【図４】
0003155377.tif 000006
【図５】
0003155377.tif 000007
【図６】
0003155377.tif 000008